(57)【要約】【課題】従来と比して一段と確実に起動時間を短縮し得る記録装置を実現する。【解決手段】光ディスク４のディスク識別情報と光ディスクドライブ１がこの光ディスク４に追記した最新の管理データのアドレスである有効管理データアドレスとを対応付けて保持することで、光ディスク４が入れ換えられた場合でも有効な管理データの検索時間を短縮することができ、また、単純に、有効管理データアドレスに書き込まれている管理データを有効な管理データとするのではなく、実際に、有効管理データアドレスから順に再生して最新の管理データを検索し、この最新の管理データを有効な管理データとすることで、他のドライブによって最新の管理データが追記された光ディスク４からも、確実且つ迅速に有効な管理データを検索することができ、かくして、従来と比して一段と確実に起動時間を短縮することができる。【選択図】図４
2008052821.tif 000002
【特許請求の範囲】
【請求項１】
ディスク状記録媒体にデータを記録する記録装置であって、
上記ディスク状記録媒体の所定領域に、当該ディスク状記録媒体のデータの記録位置を示す管理データを所定順に追加記録する管理データ記録制御部と、
上記管理データ記録制御部による管理データの追加記録に応じて、上記ディスク状記録媒体を識別するためのディスク識別情報と、上記所定領域に追加記録した管理データのうちの最新の管理データの記録位置を示す位置情報とを対応付けて記憶部に記憶する記憶制御部と、
上記記憶部に記憶されているディスク識別情報により識別されるディスク状記録媒体から管理データを読み出す場合に、当該ディスク識別情報に対応付けられた上記位置情報により示される記録位置から上記所定順に最新の管理データを実際に検索して、検索の結果得られた最新の管理データを有効な管理データとして読み出す管理データ読出制御部と
を具えることを特徴とする記録装置。
【請求項２】
上記管理データ読出制御部は、
上記位置情報により示される記録位置以降が未記録であれば、上記所定領域の先頭から上記所定順に最新の管理データを実際に検索して、検索の結果得られた最新の管理データを有効な管理データとして読み出す
ことを特徴とする請求項１に記載の記録装置。
【請求項３】
上記記憶部は、
不揮発性メモリである
ことを特徴とする請求項１に記載の記録装置。
【請求項４】
上記ディスク状記録媒体は、
ＤＶＤ−Ｒ（Digital Versatile Disc-Recordable）である
ことを特徴とする請求項１に記載の記録装置。
【請求項５】
ディスク状記録媒体からデータを再生する再生装置であって、
上記ディスク状記録媒体の所定領域に所定順に追加記録された当該ディスク状記録媒体のデータの記録位置を示す管理データのうちの最新の管理データを有効な管理データとして読み出す管理データ読出制御部と、
上記管理データ読出制御部による有効な管理データの読み出しに応じて、上記ディスク状記録媒体を識別するためのディスク識別情報と、上記有効な管理データの記録位置を示す位置情報とを対応付けて記憶部に記憶する記憶制御部と
を具え、
上記管理データ読出制御部は、
上記記憶部に記憶されているディスク識別情報により識別されるディスク状記録媒体から管理データを読み出す場合には、当該ディスク識別情報に対応付けられた上記位置情報により示される記録位置から上記所定順に最新の管理データを実際に検索して、当該最新の管理データを有効な管理データとして読み出す
ことを特徴とする再生装置。
【請求項６】
ディスク状記録媒体の所定領域に、当該ディスク状記録媒体のデータの記録位置を示す管理データを所定順に追加記録する管理データ記録ステップと、
上記管理データ記録ステップでの管理データの追加記録に応じて、上記ディスク状記録媒体を識別するためのディスク識別情報と、上記所定領域に追加記録した管理データのうちの最新の管理データの記録位置を示す位置情報とを対応付けて記憶部に記憶する記憶ステップと、
上記記憶部に記憶されているディスク識別情報により識別されるディスク状記録媒体から管理データを読み出す場合に、当該ディスク識別情報に対応付けられた上記位置情報により示される記録位置から上記所定順に最新の管理データを実際に検索して、検索の結果得られた最新の管理データを有効な管理データとして読み出す管理データ読出ステップと
を具えることを特徴とする管理データ読出方法。
【請求項７】
コンピュータに対して、
ディスク状記録媒体の所定領域に、当該ディスク状記録媒体のデータの記録位置を示す管理データを所定順に追加記録する管理データ記録ステップと、
上記管理データ記録ステップでの管理データの追加記録に応じて、上記ディスク状記録媒体を識別するためのディスク識別情報と、上記所定領域に追加記録した管理データのうちの最新の管理データの記録位置を示す位置情報とを対応付けて記憶部に記憶する記憶ステップと、
上記記憶部に記憶されているディスク識別情報により識別されるディスク状記録媒体から管理データを読み出す場合に、当該ディスク識別情報に対応付けられた上記位置情報により示される記録位置から上記所定順に最新の管理データを実際に検索して、検索の結果得られた最新の管理データを有効な管理データとして読み出す管理データ読出ステップと
を実行させることを特徴とする管理データ読出プログラム。
【発明の詳細な説明】
【技術分野】
【０００１】
本発明は、記録装置、再生装置、管理データ読出方法及び管理データ読出プログラムに関し、例えば、ディスク状記録媒体にデータを記録するディスクドライブに適用して好適なものである。
【背景技術】
【０００２】
昨今、ＤＶＤ（Digital Versatile Disc）をはじめとする大容量メディアが広く普及している。この種の大容量メディアとしては、あらかじめコンテンツが記録された状態で販売される再生専用の光ディスク（例えば、ＤＶＤ−ＲＯＭ（Read Only Memory）、ＣＤ−ＲＯＭ）、データの上書きが可能な記録再生用の光ディスク（例えば、ＤＶＤ−ＲＷ（ReWritable）、ＣＤ−ＲＷなどであり、以下、これらをＲＷメディアとも呼ぶ）、データの上書きはできないが追加記録（追記とも呼ぶ）は可能な記録再生用の光ディスク（例えば、ＤＶＤ−Ｒ（Recordable）、ＣＤ−Ｒなどであり、以下これらをＲメディアとも呼ぶ）などがある。
【０００３】
これらのディスクには、データの記録位置などを示す管理データが所定の領域（これを管理領域とも呼ぶ）に書き込まれるようになされ、ディスクドライブは、例えば、ディスクが挿入されると、まず、この管理領域に書き込まれている管理データを読み出すことで、この管理データを基にディスクのどの位置にどれだけデータが記録されているのかを認識し得るようになされている。
【０００４】
こうすることで、この種のディスクドライブでは、例えば、ディスクの先頭から順にデータを再生してデータの記録位置を探し出す場合と比して、ディスクに記録されているデータの記録位置をより早く認識することができ、結果として、データの記録、再生を迅速に開始することができるようになされている。
【０００５】
ちなみに、ＲＷメディアの場合、通常、管理領域には最新の管理データ（有効な管理データ）のみが記録されるようになされ、新規データの記録または既存データの書き換えなどによりメディア内のデータが更新されると、この管理領域の管理データが最新の管理データに書き換えられるようになされている。ただし、ディスクの傷、ディスクの書き換え可能回数以上の書き換えなどにより、その管理データを書き換えることができなくなった（これを欠陥とも呼ぶ）場合、それ以降、管理データは、管理領域の別の位置に書き込まれる。
【０００６】
一方、Ｒメディアの場合、管理データを書き換えることができないため、あらかじめ管理領域が管理データのデータ量と比して多めに確保され、新規データの記録などによりメディア内のデータが更新されると、管理領域に最新の管理データが追記されるようになされている。
【０００７】
ここで、Ｒメディアに対する管理データの書込方法及び読出方法について、ＤＶＤ−Ｒを例に具体的に説明する。ＤＶＤ−Ｒは、図９に示すように、その記録領域が、アドレスによって、ディスクの内周側から順に（アドレスの小さい方から順に）予約領域Ａ１００、その他の領域Ａ１０１、データ記録領域Ａ１０２に分割されている。予約領域Ａ１００は、上述した管理データが記録される領域であり、データ記録領域Ａ１０２は、コンテンツなどのデータが記録される領域、その他の領域Ａ１０１は、それ以外の用途に使用される領域である。
【０００８】
予約領域Ａ１００は、管理データを複数（数百個）記録し得るサイズでなり、先頭アドレスから順に管理データが追記されるようになされている。つまりこの予約領域Ａ１００に記録された管理データのうちの最後尾に位置する管理データが最新の管理データ（有効な管理データ）となる。このようにしてＤＶＤ−Ｒには管理データが追記されるようになされている。
【０００９】
一方で、管理データを読み出す場合、ディスクドライブは、ＤＶＤ−Ｒが挿入されると、予約領域Ａ１００の先頭アドレスから順に再生してＲＦ（Radio Frequency）信号の有無を検出していくことで、予約領域Ａ１００内でＲＦ信号が有から無に切り換わる位置、つまり予約領域Ａ１００内での記録終了位置を特定する。そして、ディスクドライブは、この記録終了位置の直前に記録されている最後尾の管理データを最新の管理データ、つまり有効な管理データとして扱う。このようにしてＤＶＤ−Ｒから有効な管理データが読み出されるようになされている。
【００１０】
次に、この管理データの読出処理手順について、さらに図１０のフローチャートを用いて詳しく説明する。ディスクドライブは、ディスク（例えばＤＶＤ−Ｒ）が挿入されると、管理データ読出処理手順ＲＴ１００を開始して、ステップＳＰ１００に移る。ステップＳＰ１００においてディスクドライブは、スピンドルモータを回転させることでディスクを回転させ、次のステップＳＰ１０１に移る。
【００１１】
ステップＳＰ１０１においてディスクドライブは、光ピックアップのレーザを発光することでレーザ光をディスクの記録面に照射して、次のステップＳＰ１０２に移る。ステップＳＰ１０２においてディスクドライブは、ディスクの記録面で反射した戻り光を光ピックアップで受光して得られる信号を基に、フォーカスサーボ、トラッキングサーボ、線速度一定サーボを行って、次のステップＳＰ１０３に移る。
【００１２】
ステップＳＰ１０３においてディスクドライブは、光ピックアップより得られる信号を基に、現在レーザ光が照射されている記録面上の位置のアドレスを読んで、次のステップＳＰ１０４に移る。ステップＳＰ１０４においてディスクドライブは、先に読んだアドレスを基に、ディスクの予約領域Ａ１００の先頭アドレスにシークして、次のステップＳＰ１０５に移る。
【００１３】
ステップＳＰ１０５においてディスクドライブは、予約領域Ａ１００の先頭アドレスから順に再生してＲＦ信号の有無を検出していくことで、予約領域Ａ１００内での記録終了位置を特定し、次のステップＳＰ１０６に移る。ステップＳＰ１０６においてディスクドライブは、特定した記録終了位置の直前に記録されている最後尾の管理データを有効な管理データとして認識し、この管理データ読出手順ＲＴ１００を終了する。
【００１４】
このような管理データ読出手順ＲＴ１００にしたがって、ディスクドライブは、挿入されたディスクから有効な管理データを読み出すようになされている。
【００１５】
ところで、上述したような手順で、予約領域Ａ１００から管理データを読み出す場合、予約領域Ａ１００の先頭アドレスから順にＲＦ信号の有無を検出して記録終了位置を特定するため、予約領域Ａ１００に追記された管理データの数が多くなるにつれ、記録終了位置の特定に要する時間、つまり有効な管理データの検索に要する時間が増加する。
【００１６】
実際上、ＤＶＤ−Ｒの場合、例えば予約領域Ａ１００のほぼ全てに管理データが追記されているとすると、有効な管理データの検索には、２倍速の読出速度で、約８秒要することになる。
【００１７】
この場合、ディスクドライブが起動開始してからディスクにデータを記録できるようになるまでに少なくとも８秒以上要することになり、この結果、Ｒメディアを記録媒体とするディスクカムコーダなどにおいては、撮像機会を逃しかねない。
【００１８】
換言すれば、有効な管理データの検索に要する時間を短縮することができれば、ディスクに対してデータの記録または再生を開始するまでに要する時間、つまり起動時間を一段と短縮することができるものと考えられる。
【００１９】
そこで従来、電源オフ時に、ディスクドライブに挿入されているディスクの管理データを、光ディスクドライブ内の不揮発性メモリに記憶させ、同一のディスクが挿入された状態で再度電源オンされた場合に、この不揮発性メモリに記憶されている管理データを利用することで、ディスクの管理領域から有効な管理データを検索する場合と比して、有効な管理データの検索に要する時間を短縮させ得る方法が提案されている（例えば、特許文献１参照）
【特許文献１】特開２００４−１１８８８７公報
【発明の開示】
【発明が解決しようとする課題】
【００２０】
しかしながら、上述した方法では、電源オフ時に挿入されていたディスクと同一のディスクが挿入された状態で再度電源オンされたときにのみ、挿入されているディスクの有効な管理データの検索時間を短縮することができるのであって、例えば、電源オフ時とは異なるディスクが挿入されて再度電源オンされると、検索時間を短縮することはできず、結果として、必ずしも起動時間を短縮させることができるわけではないという問題があった。
【００２１】
本発明は以上の点を考慮してなされたもので、従来と比して一段と確実に起動時間を短縮し得る記録装置、再生装置、管理データ読出方法及び管理データ読出プログラムを提案しようとするものである。
【課題を解決するための手段】
【００２２】
かかる課題を解決するため本発明においては、ディスク状記録媒体の所定領域に、当該ディスク状記録媒体のデータの記録位置を示す管理データを所定順に追加記録し、管理データの追加記録に応じて、ディスク状記録媒体を識別するためのディスク識別情報と、所定領域に追加記録した管理データのうちの最新の管理データの記録位置を示す位置情報とを対応付けて記憶部に記憶し、記憶部に記憶されているディスク識別情報により識別されるディスク状記録媒体から管理データを読み出す場合に、当該ディスク識別情報に対応付けられた位置情報により示される記録位置から所定順に最新の管理データを実際に検索して、検索の結果得られた最新の管理データを有効な管理データとして読み出すようにした。
【００２３】
このように、管理データの追加記録に応じて、ディスク状記録媒体のディスク識別情報と追加記録した管理データのうちの最新の管理データの記録位置を示す位置情報とを対応付けて保持することで、ディスク状記録媒体が入れ換えられた場合であっても有効な管理データの検索時間を短縮することができ、また、単純に、位置情報が示す記録位置に記録された管理データを有効な管理データとするのではなく、実際に、位置情報が示す記録位置から最新の管理データを検索して、検索の結果得られた最新の管理データを有効な管理データとするようにしたことにより、他の記録装置によって最新の管理データが追加記録されたディスク状記録媒体からも、確実且つ迅速に有効な管理データを検索することができる。
【発明の効果】
【００２４】
本発明によれば、管理データの追加記録に応じて、ディスク状記録媒体のディスク識別情報と追加記録した管理データのうちの最新の管理データの記録位置を示す位置情報とを対応付けて保持することで、ディスク状記録媒体が入れ換えられた場合であっても有効な管理データの検索時間を短縮することができ、また、単純に、位置情報が示す記録位置に記録された管理データを有効な管理データとするのではなく、実際に、位置情報が示す記録位置から最新の管理データを検索して、検索の結果得られた最新の管理データを有効な管理データとするようにしたことにより、他の記録装置によって最新の管理データが追加記録されたディスク状記録媒体からも、確実且つ迅速に有効な管理データを検索することができ、かくして、従来と比して一段と確実に起動時間を短縮し得る記録装置、再生装置、管理データ読出方法及び管理データ読出プログラムを実現できる。
【発明を実施するための最良の形態】
【００２５】
以下、図面について、本発明の一実施の形態を詳述する。
【００２６】
（１）光ディスクドライブの全体構成
図１において１は、全体として光ディスクドライブを示し、システム制御部２がＲＯＭ（Read Only Memory）及びＲＡＭ（Random Access Memory）でなるメモリ３から読み出した各種プログラムにしたがって全体を統括的に制御し、挿入された光ディスク４に対するデータの記録及び再生を行うようになされている。
【００２７】
具体的に言うと、光ディスクドライブ１は、データの再生時、システム制御部２からサーボ制御部５に対して、データの再生に応じた制御命令を送る。サーボ制御部５は、システム制御部２からの制御命令に応じて、スピンドルモータ６を制御することで光ディスク４を回転させると共に、送りモータ７を制御することで光ピックアップ８を光ディスク４の径方向に移動させて、光ディスク４の記録面にレーザ光を照射させる。
【００２８】
光ピックアップ８は、光ディスク４の記録面で反射したレーザ光を戻り光として受光し、その光量に応じた受光信号をアンプ部９に送る。アンプ部９は、この受光信号を基に、記録面のトラックに対するレーザ光の照射位置のずれ量を表すトラッキングエラー信号と、記録面に対するレーザ光の焦点のずれ量を表すフォーカスエラー信号とを生成してこれらをサーボ制御部５に送ると共に、受光信号を基にＲＦ信号を生成してこれを信号変復調及びＥＣＣ（Error Correcting Code）処理部１０に送る。
【００２９】
サーボ制御部５は、トラッキングエラー信号及びフォーカスエラー信号を基にトラッキング制御信号及びフォーカス制御信号を生成して、これらを光ピックアップ８に送ることで、光ピックアップ８をトラッキング制御及びフォーカス制御する。
【００３０】
一方、信号変復調及びＥＣＣ処理部１０は、ＲＦ信号に対して所定の復調処理、誤り訂正処理、デコード処理などを施すことで再生データを生成し、これをメモリコントローラ１１に送る。メモリコントローラ１１は、信号変復調及びＥＣＣ処理部１０より順次送られてくる再生データをバッファメモリ１２に一時記憶させ、この順次送られてくる再生データによってバッファメモリ１２の空き容量が所定量以下になると、バッファメモリ１２から再生データを読み出して、インタフェース１３を介して外部のホストコンピュータに送る。
【００３１】
このようにして、光ディスクドライブ１は、光ディスク４に対するデータの再生を行うようになされている。
【００３２】
また、データ記録時、光ディスクドライブ１は、メモリコントローラ１１の制御により、インタフェース１３を介して外部のホストコンピュータから順次送られてくる記録用データを、バッファメモリ１２に一時記憶させ、この順次送られてくる記録用データによってバッファメモリ１２の空き容量が所定量以下になると、バッファメモリ１２から記録用データを読み出して、信号変復調及びＥＣＣ処理部１０に送る。
【００３３】
信号変復調及びＥＣＣ処理部１０は、記録用データに対して所定の変調処理、誤り訂正処理、エンコード処理などを施すことで記録用信号を生成し、これを記録ドライバ１４に送る。記録ドライバ１４は、信号変復調及びＥＣＣ処理部１０より送られてくる記録用信号に基づき光ピックアップ８を駆動する。この結果、光ディスク４に記録用データが記録される。
【００３４】
このようにして、光ディスクドライブ１は、光ディスク４に対するデータの記録を行うようになされている。
【００３５】
尚、以下の説明では、アンプ部９、信号変復調及びＥＣＣ処理部１０、記録ドライバ１４をまとめて信号処理部１５とも呼ぶ。
【００３６】
このような基本的な構成にくわえて、この光ディスクドライブ１には不揮発性メモリ１６が設けられ、光ディスクドライブ１は、後述する光ディスク４への管理データの書き込み時に、光ディスク４毎にユニークな情報（以下、これをディスク識別情報とも呼ぶ）と、管理データを書き込んだアドレスとを対応付けて、この不揮発性メモリ１６に記憶するようになされている。
【００３７】
（２）管理データの書込方法及び読出方法
ここで、光ディスク４に対する管理データの書込方法及び読出方法について説明する。尚、光ディスクドライブ１は、種々の光ディスク４（ＣＤ−Ｒ、ＣＤ−ＲＷ、ＤＶＤ−Ｒ、ＤＶＤ＋Ｒ、ＤＶＤ−ＲＷなど）に対応するマルチドライブであるとするが、ここでは説明の便宜上、挿入される光ディスク４がＤＶＤ−Ｒである場合を例として説明する。
【００３８】
すなわち、光ディスク４は、図９との同一部分に同一符号を付した図２に示すように、その記録領域が、アドレスによって、ディスクの内周側から順に（アドレスの小さい方から順に）予約領域Ａ１００、その他の領域Ａ１０１、データ記録領域Ａ１０２に分割されている。予約領域Ａ１００は、管理データが記録される領域であって管理データを複数（数百個）記録し得るサイズでなり、データ記録領域Ａ１０２は、ホストコンピュータから送られてくる記録用データなどが記録される領域、その他の領域Ａ１０１は、それ以外の用途に使用される領域である。ここで、データ記録領域Ａ１０２は、さらにその内部を任意に区切ることができるようにもなされている。
【００３９】
また、予約領域Ａ１００に書き込まれる管理データとしては、光ディスク４を使用するにあたり最初に予約領域Ａ１００の先頭に一つだけ書き込まれる管理データ（以下、これを初期管理データとも呼ぶ）ＦＭＤと、この初期管理データＦＭＤにつづけて、光ディスク４に対するデータの書き込みなどに応じて順に追記される管理データ（以下、これを追記管理データとも呼ぶ）ＭＤ（ＭＤ１〜ＭＤｎ）とが存在する。ちなみに、初期管理データＦＭＤ及び追記管理データＭＤ（ＭＤ１〜ＭＤｎ）のそれぞれは、所定数のセクタで構成される１ＥＣＣブロック単位のデータであり、初期管理データＦＭＤには、主として光ディスク４のディスク識別情報が記され、追記管理データＭＤ（ＭＤ１〜ＭＤｎ）のそれぞれには、主として光ディスク４の記録領域がどのように区切られているかを示す情報と、データ記録領域Ａ１０２内での記録開始可能アドレス及び記録終了アドレスとが記されている。
【００４０】
つまり、光ディスクドライブ１は、まず、挿入された光ディスク４の予約領域Ａ１００の先頭にこの光ディスク４のディスク識別情報を記した初期管理データＦＭＤを書き込み、以降、光ディスク４に対するデータの書き込みなどに応じて、予約領域Ａ１００に追記管理データＭＤを追記していくようになされている。ちなみに、ディスク識別情報としては、例えば、光ディスク４毎に生成したランダムな数値を用いるようになされている。
【００４１】
ところで、実際上、光ディスク４に対するデータの書き込みが行われるたびに、予約領域Ａ１００に管理データを追記していくと、管理データの書き込みが頻繁に起こり、予約領域Ａ１００がすぐに一杯になってしまう。そこで、この光ディスクドライブ１では、メモリ３に管理データを一時記憶するようにして、光ディスク４に対するデータの書き込みなどが行われた場合にはこのメモリ３上の管理データを更新し、光ディスク４のイジェクト（取出）命令を受け付けたときに、そのときメモリ３に記憶している管理データ（つまりイジェクト命令を受け付けるまでの間メモリ３上で更新していた最新の管理データ）を、光ディスク４の予約領域Ａ１００に追記するようになされている。
【００４２】
このようにして、光ディスクドライブ１は、光ディスク４の予約領域Ａ１００に対して、管理データを書き込むようになされている。
【００４３】
また光ディスクドライブ１は、挿入された光ディスク４に管理データを書き込んだ際、この管理データを書き込んだアドレス（つまりこの時点で有効な管理データのアドレスであり、以下、これを有効管理データアドレスとも呼ぶ）と、この光ディスク４のディスク識別情報（つまり初期管理データＦＭＤに記したディスク識別情報）とを対応付けて、不揮発性メモリ１６に記憶するようになされている。
【００４４】
そして、光ディスクドライブ１は、同一の光ディスク４に対して新たな管理データを書き込んだ際には、不揮発性メモリ１６に記憶している、この光ディスク４のディスク識別情報とこれに対応する有効管理データアドレスのうちの有効管理データアドレスを、今回管理データを書き込んだアドレスで更新するようになされている。
【００４５】
このようにして、光ディスクドライブ１は、光ディスク４のディスク識別情報と有効管理データアドレスとを対応付けて不揮発性メモリ１６に記憶し、この不揮発性メモリ１６に記憶したディスク識別情報により識別される光ディスク４に管理データを追記するたびに、この追記した管理データのアドレスで、不揮発性メモリ１６に記憶している有効管理データアドレスを更新するようになされている。
【００４６】
こうすることで、光ディスクドライブ１は、この不揮発性メモリ１６に記憶したディスク識別情報とこれに対応付けた有効管理データアドレスとを基に、光ディスク４の予約領域Ａ１００から、以前にこの光ディスク４に対して書き込んだ管理データのうちの最新の管理データ、つまり有効な管理データを迅速に特定することができるようになされている。
【００４７】
ちなみに、不揮発性メモリ１６には、例えば図３に示すように、光ディスクドライブ１で管理データを書き込んだことがある光ディスク４のディスク識別情報と、この光ディスクドライブ１で書き込んだ最新の管理データのアドレスである有効管理データアドレスとが対応付けられ、リスト（以下、これを対応リストとも呼ぶ）として記憶されるようになされている。
【００４８】
一方、挿入された光ディスク４から有効な管理データを読み出す場合、光ディスクドライブ１は、まず、光ディスク４の予約領域Ａ１００の先頭に書き込まれている初期管理データＦＭＤからこの光ディスク４のディスク識別情報を取得し、つづけてこのディスク識別情報に対応する有効管理データアドレスを不揮発性メモリ１６から取得する。
【００４９】
そして、光ディスクドライブ１は、図４に示すように、この取得した有効管理アドレスから順に再生してＲＦ信号の有無を検出していくことで、このＲＦ信号が有から無に切り換わる位置、つまり予約領域Ａ１００内での記録終了位置を特定して、この記憶終了位置の直前に記録されている最新の追記管理データＭＤを有効な管理データとして認識するようになされている。
【００５０】
このように、光ディスクドライブ１は、挿入された光ディスク４に対して以前に管理データを書き込んだことがあるのであれば、以前に書き込んだ管理データのうちの最新の管理データのアドレス（つまり有効管理データアドレス）を、不揮発性メモリ１６より取得して、この有効管理データアドレスから、有効な管理データの検索を開始することで、予約領域Ａ１００の先頭アドレスから有効な管理データを検索する場合と比して、その検索時間を短縮することができる。
【００５１】
そのうえ、光ディスクドライブ１は、有効管理データアドレスを、挿入された光ディスク毎にユニークなディスク識別情報と対応付けて記憶することで、例えば、光ディスク４が入れ換えられるような場合でも、それぞれの光ディスク４に対して有効な管理データの検索時間を短縮することができる。
【００５２】
（３）管理データの書込処理手順及び読出処理手順
ここで、上述した管理データの書き込み及び読み出しのそれぞれの処理手順（以下、それぞれを管理データ書込処理手順、管理データ読出処理手順とも呼ぶ）について詳述する。ちなみに、管理データの書込処理及び読出処理のそれぞれは、光ディスクドライブ１のシステム制御部２が、メモリ３から読み出したプログラムにしたがって、光ディスクドライブ１の各部を制御して実行する処理である。
【００５３】
まず、管理データ書込処理手順について説明する。図５のフローチャートに示すように、光ディスクドライブ１のシステム制御部２は、例えば、挿入された光ディスク４に対してデータの書き込みなどを行った後、ホストコンピュータ側からこの光ディスク４のイジェクト命令を受け付けると、この管理データ書込処理手順ＲＴ１を開始して、ステップＳＰ１に移る。
【００５４】
ステップＳＰ１においてシステム制御部２は、サーボ制御部５により、挿入されている光ディスク４の予約領域Ａ１００の記録終了位置に光ピックアップ８をシークさせて、次のステップＳＰ２に移る。ステップＳＰ２においてシステム制御部２は、メモリ３に一時記憶している管理データ、つまりイジェクト命令を受け付けるまでの間メモリ３上で更新していた最新の管理データを、予約領域Ａ１００の記録終了位置から書き込んで、次のステップＳＰ３に移る。ちなみに、記録終了位置が予約領域Ａ１００の先頭アドレスである場合、つまり予約領域Ａ１００にまだ何も書き込まれていない場合、システム制御部２は、このステップＳＰ２において、予約領域Ａ１００の先頭アドレスから初期管理データＦＭＤを書き込んだうえで、この初期管理データＦＭＤにつづけて追記管理データＭＤ１を書き込むようになされている。
【００５５】
ステップＳＰ３においてシステム制御部２は、管理データの書き込みが成功したかどうかを判定する。このステップＳＰ３で否定結果を得ると、このときシステム制御部２は、ステップＳＰ１に戻り、再度、記録終了位置より管理データの書き込みを試みる。
【００５６】
これに対して、このステップＳＰ３で肯定結果を得ると、このときシステム制御部２は、ステップＳＰ４に移る。ステップＳＰ４においてシステム制御部２は、挿入されている光ディスク４のディスク識別情報が、不揮発性メモリ１６に記憶されている対応リストに登録されているかどうかを判定する。
【００５７】
このステップＳＰ４で否定結果を得ると、このことは、挿入されている光ディスク４のディスク識別情報が、不揮発性メモリ１６の対応リストに登録されていないことから、光ディスクドライブ１がこの光ディスク４に対して管理データを書き込んだのは今回が初めてであることを意味し、このときシステム制御部２は、ステップＳＰ５に移り、この光ディスク４のディスク識別情報と、ステップＳＰ２で書き込んだ管理データのアドレスとを対応付けて、不揮発性メモリ１６の対応リストに追加登録して、この管理データ書込処理手順ＲＴ１を終了する。
【００５８】
これに対して、このステップＳＰ４で肯定結果を得ると、このことは、挿入されている光ディスク４のディスク識別情報が、不揮発性メモリ１６の対応リストに登録されていることから、光ディスクドライブ１がこの光ディスク４に対して以前に管理データを書き込んだことがあることを意味し、このときシステム制御部２は、ステップＳＰ６に移り、この光ディスクのディスク識別情報に対応する、対応リスト上の管理データアドレスを、ステップＳＰ２で書き込んだ管理データのアドレスで更新して、この管理データ書込処理手順ＲＴ１を終了する。
【００５９】
このような管理データ書込処理手順ＲＴ１にしたがって、システム制御部２は、光ディスク４に管理データを書き込むと共に、この光ディスク４のディスク識別情報と有効管理データアドレスとを対応付けて不揮発性メモリ１６に記憶するようになされている。
【００６０】
つづけて、管理データ読出処理手順について説明する。図６のフローチャートに示すように、光ディスクドライブ１のシステム制御部２は、光ディスク４が挿入されると、この管理データ読出処理手順ＲＴ２を開始して、ステップＳＰ１０に移る。
【００６１】
ステップＳＰ１０においてシステム制御部２は、スピンドルモータ６を回転させることで光ディスク４を回転させ、次のステップＳＰ１１に移る。ステップＳＰ１１においてシステム制御部２は、光ピックアップ８のレーザを発光させることでレーザ光を光ディスク４の記録面に照射させて、次のステップＳＰ１２に移る。
【００６２】
ステップＳＰ１２においてシステム制御部２は、光ピックアップ８から得られる受光信号を基に、光ディスク４の種別（この場合ＤＶＤ−Ｒ）を判別すると共に、サーボ制御部５によって、フォーカスサーボ、トラッキングサーボ、線速度一定サーボを行わせて、次のステップＳＰ１３に移る。
【００６３】
ステップＳＰ１３においてシステム制御部２は、光ピックアップ８から得られる受光信号を基に、現在レーザ光が照射されている記録面上の位置のアドレスを読んで、次のステップＳＰ１４に移る。ステップＳＰ１４においてシステム制御部２は、先に読んだアドレスを基に、光ディスク４の予約領域Ａ１００の先頭アドレスに光ピックアップ８をシークさせて、この先頭アドレスから初期管理データＦＭＤを読み出し、次のステップＳＰ１５に移る。
【００６４】
ステップＳＰ１５においてシステム制御部２は、初期管理データＦＭＤが読み出せたかかどうかを判定する。このステップＳＰ１５で否定結果を得ると、このことは、例えば、光ディスク４に初期管理データＦＭＤが記憶されていないこと、つまり光ディスク４がヴァージンディスクであることを意味し、このときシステム制御部２は、この管理データ読出処理手順ＲＴ２を終了する。
【００６５】
これに対してこのステップＳＰ１５で肯定結果を得ると、システム制御部２は、ステップＳＰ１６に移る。ステップＳＰ１６においてシステム制御部２は、読み出した初期管理データＦＭＤに記されているディスク識別情報を、不揮発性メモリ１６に記憶されている対応リストから検索して、次のステップＳＰ１７に移る。
【００６６】
ステップＳＰ１７においてシステム制御部２は、検索結果から、初期管理データＦＭＤに記されているディスク識別情報と同一のディスク識別情報が対応リストに登録されているかどうかを判定する。このステップＳＰ１７で肯定結果を得ると、このときシステム制御部２は、ステップＳＰ１８に移る。
【００６７】
ステップＳＰ１８においてシステム制御部２は、検索結果として得られたディスク識別情報に対応する有効管理データアドレスを対応リストから取得し、この有効管理データアドレスに光ピックアップ８をシークさせて、この有効管理データアドレスから例えば１ＥＣＣブロック分再生してＲＦ信号の有無を検出し、次のステップＳＰ１９に移る。
【００６８】
ステップＳＰ１９においてシステム制御部２は、再生した部分のＲＦ信号が無だったかどうかを判定する。このステップＳＰ１９で否定結果を得ると、このことはこの有効管理データアドレス以降に少なくとも１個以上の管理データが記録されていることを意味し、このときシステム制御部２は、ステップＳＰ２０に移る。
【００６９】
ステップＳＰ２０においてシステム制御部２は、ステップＳＰ１８で再生した部分以降を順に再生してＲＦ信号の有無を検出していくことで、予約領域Ａ１００の記録終了位置を特定して、次のステップＳＰ２１に移る。
【００７０】
ステップＳＰ２１においてシステム制御部２は、特定した記録終了位置の直前に記録されている最後尾の管理データを有効な管理データとして認識し、この管理データ読出手順ＲＴ２を終了する。
【００７１】
このように、システム制御部２は、挿入されている光ディスク４のディスク識別情報に対応する有効管理データアドレスが、不揮発性メモリ１６の対応リストに登録されているとしても、単純に、その有効管理データアドレスから始まるＥＣＣブロックに書き込まれている管理データを有効な管理データとするのではなく、有効管理データアドレスから順にＲＦ信号の有無を検出して記録終了位置を特定し、この記録終了位置の直前に記録されている管理データを有効な管理データとするようになされている。
【００７２】
こうすることで、光ディスクドライブ１は、例えば、図７に示すように、自身で管理データを書き込んだ後に、別の光ディスクドライブによって最新の管理データが追記されたような光ディスク４からも、確実に有効な管理データを読み出すことができるようになされている。
【００７３】
また、この場合でも、光ディスクドライブ１は、自身が最後に書き込んだ管理データのアドレスである有効管理データアドレスからＲＦ信号の有無を検出して有効な管理データを検索するので、例えば予約領域Ａ１００の先頭からＲＦ信号の有無を検出する場合と比して、有効な管理データの検索時間を短縮することができる。
【００７４】
一方、上述のステップＳＰ１７で否定結果を得ると、このことは、挿入されている光ディスク４のディスク識別情報が不揮発性メモリ１６の対応リストに登録されていないこと、つまりこの光ディスク４のディスク識別情報に対応する有効管理データアドレスが対応リストに登録されてなく、光ディスクドライブ１がこの光ディスク４には管理データを書き込んだことがないことを意味し、このときシステム制御部２は、ステップＳＰ２２に移る。
【００７５】
ステップＳＰ２２においてシステム制御部２は、予約領域Ａ１００の先頭アドレスから順に再生してＲＦ信号の有無を検出していくことで、予約領域Ａ１００内での記録終了位置を特定して、次のステップＳＰ２１に移り、ステップＳＰ２１において、記録終了位置の直前に記録されている管理データを有効な管理データとして認識し、この管理データ読出手順ＲＴ２を終了する。
【００７６】
このように光ディスクドライブ１は、挿入されている光ディスク４のディスク識別情報に対応する有効管理データアドレスが対応リストに登録されていない場合には、従来と同様に、予約領域Ａ１００の先頭から有効な管理データを検索するようになされている。
【００７７】
また、上述のステップＳＰ１９で肯定結果を得ると、このことは、再生した部分のＲＦ信号が無であることから、有効管理データアドレス以降が未記録であることを意味し、この場合も、システム制御部２は、ステップＳＰ２２に移る。そしてシステム制御部２は、ステップＳＰ２２において、予約領域Ａ１００の先頭アドレスから順に再生してＲＦ信号の有無を検出していくことで、予約領域Ａ１００内での記録終了位置を特定し、つづくステップＳＰ２１において、記録終了位置の直前に記録されている管理データを有効な管理データとして扱い、この管理データ読出手順ＲＴ２を終了する。
【００７８】
このように光ディスクドライブ１は、挿入されている光ディスク４のディスク識別情報に対応する有効管理データアドレスが対応リストに登録されているとしても、その有効管理データアドレス以降が未記録である場合には、従来と同様、予約領域Ａ１００の先頭から有効な管理データを検索するようになされている。
【００７９】
こうすることで、光ディスクドライブ１は、例えば、図８に示すように、対応リストに登録されているディスク識別情報と偶然一致するディスク識別情報を持つ、他の光ディスクドライブで管理データが書き込まれた光ディスク４からも、確実に有効な管理データを読み出すことができるようになされている。
【００８０】
このような管理データ読出処理手順ＲＴ２にしたがって、システム制御部２は、光ディスク４から有効な管理データを特定して読み出すようになされている。
【００８１】
（４）動作及び効果
以上の構成において光ディスクドライブ１は、挿入された光ディスク４の予約領域Ａ１００に対し、イジェクト時などの所定のタイミングで、その先頭アドレスから順に管理データを追記する。また光ディスクドライブ１は、管理データの追記に応じて、管理データを追記した光ディスク４のディスク識別情報と、追記した管理データのうちの最新の管理データを書き込んだアドレス（有効管理データアドレス）とを対応付けて不揮発性メモリ１６に記憶する。
【００８２】
そして光ディスクドライブ１は、この光ディスク４から有効な管理データを読み出す際には、この光ディスク４のディスク識別情報に対応する有効管理データアドレスを不揮発性メモリ１６から取得して、この有効管理データアドレスから順に有効な管理データの検索を開始し、最新の管理データである最後尾の管理データを有効な管理データとして読み出す。
【００８３】
こうすることで、光ディスクドライブ１は、予約領域Ａ１００の先頭アドレスから順に有効な管理データの検索を行う場合と比して、その検索時間を短縮することができる。
【００８４】
ここで、実際に、ＤＶＤ−Ｒから有効な管理データを検索したときの比較結果を示す。ちなみに、光ディスクドライブ１の再生速度は２倍速、１ＥＣＣブロック（１管理データ）のデータの読出時間は１１．８[ｍｓ]、１回のシーク時間は１００[ｍｓ]、そして予約領域Ａ１００のサイズは７００ＥＣＣブロックであるとする。
【００８５】
このような条件で、さらに予約領域Ａ１００の全てに管理データが書き込まれているとして、予約領域Ａ１００の先頭アドレスから順に有効な管理データの検索を行う場合、その検索時間は、最初にシークした後に７００ＥＣＣブロックを再生すると、１００[ｍｓ]＋７００×１１．８[ｍｓ]＝８．３６[ｍｓ]となる。このような状況はまれであるとしても、例えば、予約領域Ａ１００の約半分に管理データが書き込まれている場合でも、検索時間は４秒程度かかることになる。
【００８６】
これに対して、本実施の形態のように、有効管理データアドレスから順に有効な管理データの検索を行う場合、その検索時間は、予約領域Ａ１００の先頭アドレスにシークして初期管理データＦＭＤからディスク識別情報を取得し、さらにこのディスク識別情報に対応する有効管理データアドレスにシークして有効な管理データアドレスを読み出すと、１００[ｍｓ]＋１１．８＋１００＋１１．８[ｍｓ]＝２２３．６[ｍｓ]となる。
【００８７】
この結果からも明らかなように、本実施の形態の光ディスクドライブ１によれば、従来、４秒程度、場合によっては８秒以上もかかっていた有効な管理データの検索時間を、０．２秒程度にまで短縮することができる。
【００８８】
また、光ディスクドライブ１は、単純に有効管理データアドレスに書き込まれている管理データを有効な管理データとするのではなく、実際に、有効管理データアドレスから順に再生して最新の管理データ（つまり最後尾の管理データ）を検索し、検索の結果得られた最新の管理データを有効な管理データとするようにしたことにより、検索時間を短縮しつつ、より確実に有効な管理データを認識することができる。
【００８９】
さらに、光ディスクドライブ１は、有効管理データアドレスを、挿入された光ディスク毎にユニークなディスク識別情報と対応付けて不揮発性メモリ１６に記憶するようにしたことにより、光ディスク４が入れ換えられたとしても、確実に有効な管理データの検索時間を短縮することができる。
【００９０】
さらに、光ディスクドライブ１は、有効な管理データを検索する際、有効管理データアドレス以降が未記録であるならば、有効管理データアドレスに依らず、予約領域Ａ１００の先頭アドレスから順に有効な管理データを検索するようにしたことにより、例えば、光ディスクドライブ１で管理データを書き込んだことのある光ディスク４と偶然にもディスク識別情報が一致した、他の光ディスクドライブで管理データが書き込まれた光ディスク４からも、確実に有効な管理データを読み出すことができる。
【００９１】
以上の構成によれば、光ディスク４のディスク識別情報と光ディスクドライブ１がこの光ディスク４に追記した管理データのうちの最新の管理データ（つまり有効な管理データ）のアドレスである有効管理データアドレスとを対応付けて保持することで、光ディスク４が入れ換えられた場合であっても有効な管理データの検索時間を短縮することができ、また、単純に、有効管理データアドレスに書き込まれている管理データを有効な管理データとするのではなく、実際に、有効管理データアドレスから順に再生して最新の管理データを検索し、この最新の管理データを有効な管理データとすることにより、他の光ディスクドライブによって最新の管理データが追記された光ディスク４からも、確実且つ迅速に有効な管理データを検索することができ、かくして、従来と比して一段と確実に起動時間を短縮することができる。
【００９２】
（５）他の実施の形態
尚、上述の実施の形態では、光ディスク４に対してデータの記録及び再生が可能な光ディスクドライブ１に本発明を適用した場合について述べたが、本発明はこれに限らず、例えば、光ディスク４に対してデータの再生のみ可能な再生専用の光ディスクドライブ（以下、これを再生専用ドライブとも呼ぶ）に本発明を適用するようにしてもよい。
【００９３】
ここで、再生装置としての再生専用ドライブは、例えば、光ディスクドライブ１の各部（システム制御部２、メモリ３、光ピックアップ８、メモリコントローラ１１、バッファメモリ１２、信号処理部１５など）が、データの再生にのみ対応したものに置き換えられた構成であるとする。
【００９４】
実際上、再生専用ドライブのシステム制御部２は、例えば、光ディスクドライブ１によって予約領域Ａ１００に管理データが追記された状態の光ディスク４が挿入されると、サーボ調整を行った後、この予約領域Ａ１００の記録終了位置に光ピックアップ８をシークさせて、最新の管理データ（つまり最後尾の管理データ）を有効な管理データとして読み出すと共に、この光ディスク４のディスク識別情報と、読み出した有効な管理データのアドレスである有効管理データアドレスとを対応つけて不揮発性メモリ１６に記憶する。
【００９５】
そして、再生専用ドライブのシステム制御部２は、以降、再び、不揮発性メモリ１６に記憶しているディスク識別情報により識別される光ディスク４が挿入されると、この光ディスク４のディスク識別情報に対応する有効管理データアドレスを不揮発性メモリ１６から取得して、この有効管理データアドレスから有効な管理データの検索を開始することで、予約領域Ａ１００の先頭アドレスから有効な管理データを検索する場合と比して、その検索時間を短縮することができる。
【００９６】
このように、再生専用ドライブは、以前に管理データを読み出したことがある光ディスク４に対しては、有効な管理データの検索時間を短縮することができ、結果として、光ディスク４が挿入されてからデータを再生するまでに要する時間、つまり起動時間を短縮することができる。つまり、再生専用ドライブでも、記録再生可能な光ディスクドライブ１と同様の効果を得ることができる。
【００９７】
ちなみに、不揮発性メモリ１６から読み出した有効管理データアドレスと、挿入された光ディスク４から実際に検索した有効な管理データのアドレスとが異なる場合、このことは、例えば、この光ディスク４に対して、再生専用ドライブが前回管理データを読み出した以降に、光ディスクドライブ１などによって最新の管理データが追記されたことを意味し、この場合、今回検索した有効な管理データのアドレスで、不揮発性メモリ１６に記憶している有効管理データアドレスを更新するようにしてもよい。
【００９８】
また、上述の実施の形態では、予約領域Ａ１００に追記した管理データのうちの最新の管理データ（つまり有効な管理データ）の記録位置を示す位置情報である、有効管理データアドレスを不揮発性メモリ１６の対応リストに登録するようにした場合について述べたが、本発明はこれに限らず、例えば、有効管理データアドレスの代わりに有効な管理データの番号を対応リストに登録するようにしてもよい。
【００９９】
実際上、例えば、ＤＶＤ−Ｒでは、予約領域Ａ１００の先頭アドレスがあらかじめ規定され、また管理データを１ＥＣＣブロック単位で順に追記するよう決められていることから、対応リストに有効な管理データの番号を登録した場合、この有効な管理データの番号から有効管理データアドレスを演算で求めるようにすればよい。
【０１００】
さらに、上述の実施の形態では、ディスク状記録媒体としてＤＶＤ−Ｒを用いた場合について述べたが、本発明はこれに限らず、所定領域に管理データを所定順に追記するようになされ、且つディスク識別情報を得ることができるディスク状記録媒体であれば、ＤＶＤ−Ｒ以外のディスク状記録媒体を用いるようにしてもよく、このようなディスク状記録媒体であれば、上述した実施の形態と同様の効果を得ることができる。
【０１０１】
例えば、ＤＶＤ＋Ｒの場合、ＤＶＤ−Ｒの予約領域Ａ１００に対応するリードインゾーンに、ＤＶＤ−Ｒの管理データに対応するＳＤＣＢ（Session Disc Control Blocks）が所定順に追記されるようになされ、またこのＳＤＣＢには、ディスク識別情報となるディスクＩＤ（３２バイトの乱数）が記されるよう規定されている。
【０１０２】
したがって、ＤＶＤ＋Ｒを用いる場合、光ディスクドライブ１は、例えば、リードインゾーンの先頭に書き込んだＳＤＣＢのディスクＩＤと、最新のＳＤＣＢを書き込んだアドレスとを対応付けて不揮発性メモリ１６に記憶するようにすればよく、こうすることで、上述した実施の形態と同様の効果、つまりＤＶＤ−Ｒを用いた場合と同様の効果を得ることができる。
【０１０３】
さらに、上述の実施の形態では、本発明の光ディスクドライブ１を搭載した機器については限定していないが、実際上、例えば、パーソナルコンピュータ、ＤＶＤレコーダ、ＤＶＤプレーヤ、ディスクカムコーダ、ゲーム機など、この他種々の機器に適用することができる。特に、ディスクカムコーダのような携帯型機器では、再生速度に比例して消費電力が大きくなるため、再生速度を例えば２倍速から４倍速に上げることで有効な管理データの検索時間を短縮するような手法を用いることが難しく、本発明による効果が大きい。
【０１０４】
さらに、上述の実施の形態では、光ディスクドライブ１に挿入される光ディスク４がＤＶＤ−Ｒである場合を例にして、管理データ読出処理手順ＲＴ２を説明したが、実際上、ＤＶＤ−Ｒ以外の光ディスク４が挿入された場合には、管理データ読出処理手順ＲＴ２のステップＳＰ１２で光ディスク４の種類を判別した後、それぞれの光ディスク４に応じた処理を行わせるようにしてもよい。
【０１０５】
さらに上述の実施の形態では、ディスク識別情報と位置情報である有効管理データアドレスとを対応付けて記憶する記憶部として不揮発性メモリ１６を用いるようにした場合について述べたが、本発明はこれに限らず、ハードディスクなど、この他種々の記憶デバイスを用いるようにしてもよい。
【０１０６】
さらに上述の実施の形態では、管理データをメモリ３上で更新するようにして、光ディスク４のイジェクト時に、このときまでメモリ３上で更新していた最新の管理データを光ディスク４の予約領域Ａ１００に書き込むようにした場合について述べたが、本発明はこれに限らず、例えば、光ディスクドライブ１の電源オフ時に、最新の管理データを書き込むようにしてもよいし、光ディスク４に対するデータの書き込みが行われるたびに、最新の管理データを書き込むようにしてもよく、任意のタイミングで書き込むようにしてもよい。
【０１０７】
さらに上述の実施の形態では、ＲＦ信号の有無を検出して予約領域Ａ１００内の記録終了位置を特定することで、最後尾の管理データ、つまり最新の管理データを検索するようにした場合について述べたが、本発明はこれに限らず、有効管理データアドレスから順に最新の管理データを検索する方法であれば、この他種々の検索方法を用いるようにしてもよい。
【０１０８】
さらに上述の実施の形態では、上述した管理データ書込処理及び管理データ読出処理を実行するためのプログラムを、メモリ３にあらかじめ書き込んでおくようにした場合について述べたが、本発明はこれに限らず、このプログラムを例えば光ディスク４に記録しておき、この光ディスク４からメモリ３にインストールするようにしてもよいし、このプログラムを外部のホストコンピュータから取得して、メモリ３にインストールするようにしてもよい。
【０１０９】
さらに、上述の実施の形態では、管理データ記録制御部、管理データ読出制御部及び記憶制御部としてのシステム制御部２、記憶部として不揮発性メモリ１６によって記録装置としての光ディスクドライブ１を構成するようにした場合について述べたが、本発明はこれに限らず、例えば、システム制御部２の代わりに、管理データ記録制御部、管理データ読出制御部及び記憶制御部のそれぞれに対応する３つの制御部を設けるようにしてもよく、さらに、同様の機能を有するのであれば、これら以外の管理データ記録制御部、管理データ読出制御部、記憶制御部及び記憶部によって、記録装置を構成するようにしてもよい。
【産業上の利用可能性】
【０１１０】
本発明は、ディスクカムコーダや、光ディスクドライブ、ＤＶＤレコーダなどのようにディスクにデータを記録する記録装置や、ディスクからデータを再生する再生装置に広く利用することができる。
【図面の簡単な説明】
【０１１１】
【図１】光ディスクドライブの構成を示すブロック図である。
【図２】管理データの配置を示す略線図である。
【図３】不揮発性メモリに記憶される対応リストを示す略線図である。
【図４】有効な管理データの検索の説明に供する略線図である。
【図５】管理データ書込処理手順を示すフローチャートである。
【図６】管理データ読出処理手順を示すフローチャートである。
【図７】別の光ディスクドライブによって管理データが追記された光ディスクに対する有効な管理データの検索の説明に供する略線図である。
【図８】偶然ディスク識別情報が一致した光ディスクに対する有効な管理データの検索の説明に供する略線図である。
【図９】従来の管理データの配置及び有効な管理データの検索の説明に供する略線図である。
【図１０】従来の管理データ読出処理手順を示すフローチャートである。
【符号の説明】
【０１１２】
１……光ディスクドライブ、２……システム制御部、３……メモリ、４……光ディスク、１６……不揮発性メモリ。
【図１】
2008052821.tif 000003
【図２】
2008052821.tif 000004
【図３】
2008052821.tif 000005
【図４】
2008052821.tif 000006
【図５】
2008052821.tif 000007
【図６】
2008052821.tif 000008
【図７】
2008052821.tif 000009
【図８】
2008052821.tif 000010
【図９】
2008052821.tif 000011
【図１０】
2008052821.tif 000012